(57)【特許請求の範囲】
【請求項１】
実用液において、
（ａ）タンパク質分解酵素を０．０１重量％以上、
（ｂ）両性界面活性剤及びノニオン界面活性剤からなる群から選択される少なくとも１種の界面活性剤を０．１重量％以上
（ｃ）ジェミニ型殺菌剤及びビグアニジン系殺菌剤からなる群から選択される少なくとも１種の殺菌剤を、ジェミニ型殺菌剤については０．０１〜０．１重量％、ビグアニジン系殺菌剤については０．０２〜０．１重量％の割合で
含有することを特徴とする、
液体形態を有するｐＨ８〜１０の洗浄殺菌剤組成物
（但し、ＨＬＢ値が１２〜１７のポリグリセリン脂肪酸エステルを含む洗浄殺菌剤組成物、ジ-C7-C10-n-アルキルジメチルアンモニウム化合物、モノ-n-C8-C14-アルキル-ジメチルベンジルアンモニウム化合物、グアニジンまたはそれらの混合物を含む洗浄消毒用組成物、並びにピロリドン化合物を含む抗菌組成物を除く）。
【請求項２】
上記（ｂ）界面活性剤が両性界面活性剤０．１重量％以上、
（ｃ）殺菌剤がジェミニ型殺菌剤０．０１〜０．１重量％
である、請求項１に記載する洗浄殺菌剤組成物。
【請求項３】
上記（ｂ）界面活性剤がノニオン界面活性剤０．３重量％以上、
（ｃ）殺菌剤がビグアニジン系殺菌剤０．０２〜０．１重量％
である、請求項１に記載する洗浄殺菌剤組成物。
【請求項４】
さらに（ｄ）金属イオン封鎖剤を０．０５重量％以上含有する請求項１または２に記載する洗浄殺菌剤組成物。
【請求項５】
さらに（ｅ）酵素安定剤及び（ｆ）アルカリ剤を含有する請求項１〜４のいずれか一項に記載する洗浄殺菌剤組成物。
【請求項６】
タンパク質に起因する汚れが付着した被験対象物を洗浄殺菌するための液体組成物である、請求項１〜５のいずれか一項に記載する洗浄殺菌剤組成物。
【請求項７】
上記被験対象物が医療器具または臨床検査器具である請求項６に記載する洗浄殺菌剤組成物。
【請求項８】
使用時に水で５０〜２００倍に希釈することで、請求項１〜７のいずれか一項に記載する洗浄殺菌剤組成物になるように調製して使用される濃縮タイプの液体洗浄殺菌剤組成物。
【請求項９】
下記の工程を有する被験対象物の洗浄殺菌方法：
（１）被験対象物を請求項１〜７のいずれか一項に記載する液体洗浄殺菌剤組成物または請求項８に記載する濃縮タイプの液体洗浄殺菌剤組成物の５０〜２００倍希釈液に浸漬する工程、（２）被験対象物を液体洗浄殺菌剤組成物から取り出し、水で洗浄する工程。
【発明の詳細な説明】
【技術分野】
【０００１】
本発明は、液体の洗浄殺菌剤組成物、好ましくは医療器具用の洗浄殺菌剤組成物に関するものである。より詳しくは、医療器具に付着した汚れ、特に血液などのタンパク質汚れの固化を抑制しながら、高い洗浄効果と殺菌効果を同時に発揮できる医療器具用洗浄殺菌剤組成物に関する。
【背景技術】
【０００２】
医療器具の再生処理は、まず洗浄剤で血液などの汚れを除去した後、消毒や滅菌工程に進む。洗浄の目的は、無機物や有機物、特に微生物などの汚染物を医療器具から除去することであり、これらを可能な限り除去することでその後の消毒や滅菌の確実性を高めることができる。洗浄剤としては、主に汚れの除去効果を最大限に発揮するアルカリ洗浄剤や酵素洗浄剤が用いられている。一方で、洗浄と消毒を同時に実施可能となれば、再生処理の第一段階で、医療器具に付着している細菌やウイルスの数の減少（バイオバーデンを減少させる）、作業者の感染リスクの低減、医療器具間の交差汚染の予防、及び自然環境への汚染水の排出防止という利点を享受することができ、このため、近年、洗浄のみならず殺菌効果も謳った酵素洗浄剤が一部販売されている。
【０００３】
しかしながら、洗浄効果と殺菌効果の両方を持つとされる酵素洗浄剤を評価すると、有機物存在下で高い殺菌効果を有していても、血液などのタンパク質汚れに対して変性及び固着を引き起こすことが確認された。非特許文献１でも、塩化ベンザルコニウムやグルコン酸クロルヘキシジンなどの殺菌効果を有する成分（消毒薬）は、血液などのタンパク質汚れを固着させてしまい、その後の洗浄剤を用いた浸漬洗浄でも汚れが落ちず、洗浄効果が発揮されないことが示されている。
【０００４】
なお、医療分野以外では殺菌効果と洗浄効果が同時に期待されるものとして、環境用や衣類用に用いられる「酸素系漂白剤」及び「塩素系漂白剤」が挙げられる。
【０００５】
また、その他の先行技術として、特許文献１には、（ａ）酸性物質、（ｂ）塩基性物質、（ｃ）タンパク質分解酵素、並びに（ｄ）ポリリジン、クロロヘキシジン及び第４級アンモニウム塩型殺菌剤から選ばれる１種類以上を、（ａ）＋（ｂ）が０．５モル／ｋｇ以上になるように配合してなる医療用殺菌洗浄剤組成物が記載されている。
【０００６】
さらに、特許文献２には、（Ａ）１，４−ビス（３，３’−（１−デシルピリジニウム）メチルオキシ）ブタンジブロマイドを０．０１質量％以上、（Ｂ）エチレンジアミン四酢酸塩を０．０００６２５質量％以上含有する殺カリシウイルス剤組成物が記載されている。
【先行技術文献】
【特許文献】
【０００７】
【特許文献１】特開２００６−１９３６８４号公報
【特許文献２】特開２０１０−２１５５９８号公報
【特許文献３】特開２００８−２１４２６８号公報
【非特許文献】
【０００８】
【非特許文献１】伏見了、花村亮、中田精三  他．一次消毒された汚染物の洗浄障害について．医科器械学，２００３，７３（６），２８１―２８９．
【発明の概要】
【発明が解決しようとする課題】
【０００９】
本発明者らが、酸素系漂白剤、塩素系漂白剤及び特許文献１記載の殺菌洗浄剤組成物について、医療器具用洗浄剤の洗浄力評価で頻用される洗浄インジケーター（血液汚れ用）に対する洗浄効果及びヨーロッパ標準法ＥＮ１３７２７とＥＮ１３６２４にて血液汚れ存在下での殺菌効果を評価したところ、酸素系漂白剤（実用液濃度１重量％）では洗浄効果がなかったものの、塩素系漂白剤（有効塩素濃度２００ｐｐｍ）及び特許文献１記載の殺菌洗浄剤組成物では洗浄効果が確認された。しかし、酸素系漂白剤（実用液濃度１重量％）、塩素系漂白剤（有効塩素濃度２００ｐｐｍ）及び特許文献１記載の殺菌洗浄剤組成物はいずれも血液存在下での殺菌効果がないことが明らかとなった。さらに、塩素系漂白剤の有効塩素濃度を２００ｐｐｍ以上として殺菌効果を高めた場合、金属を主な素材とする医療器具についてはさびや腐食が生じる恐れがある。
【００１０】
一方、特許文献２において、ヨーロッパ標準法ＥＮ１０４０で９９．９９９％以上と高い殺菌効果が得られる殺カリシウイルス剤組成物について洗浄効果を評価したところ、血液汚れに対する洗浄効果は全く見られなかった。そのため、血液などのタンパク質汚れが医療器具に残っている場合、当該特許文献２記載の殺カリシウイルス剤組成物によれば、それが医療器具に固着・変性してしまい、不十分な洗浄、消毒及び滅菌に起因して分医療器具由来の感染が生じる恐れがある。
【００１１】
本発明の課題は、被験対象物に付着した汚れ、特に医療器具に付着した血液などのタンパク質汚れの固化を抑制しながら、高い洗浄効果と殺菌効果を同時に発揮できる洗浄殺菌剤組成物を提供することである。さらに本発明の課題は、１種類以上の酵素を含有する洗浄殺菌剤組成物であって、酵素安定性に優れた洗浄殺菌剤組成物を提供することである。
【課題を解決するための手段】
【００１２】
本発明者らは、上記課題を解決すべく鋭意検討を重ねていたところ、下記の組成を有する液体組成物が被験対象物に付着したタンパク質汚れの固化及び変性を有意に抑制しながら、洗浄効果と殺菌効果を同時に発揮できることを見出した：
（ａ）タンパク質分解酵素：０．０１重量％以上
（ｂ）両性界面活性剤またはノニオン界面活性剤：０．１重量％以上
（ｃ）ジェミニ型殺菌剤またはビグアニジン系殺菌剤：０．０１重量％以上
（ｄ）必要に応じて金属イオン封鎖剤：０．０５重量％以上。
なお、上記濃度は実際に使用する実用液中の濃度である。
【００１３】
本発明はかかる知見に基づいて完成したものであり、下記の実施形態を有するものである。
（Ｉ）液体洗浄殺菌剤組成物（実用液）
（Ｉ−１）実用液において、
（ａ）タンパク質分解酵素を０．０１重量％以上、
（ｂ）両性界面活性剤及びノニオン界面活性剤からなる群から選択される少なくとも１種の界面活性剤を０．１重量％以上
（ｃ）ジェミニ型殺菌剤及びビグアニジン系殺菌剤からなる群から選択される少なくとも１種の殺菌剤を０．０１重量％以上
を含有することを特徴とする液体形態を有する洗浄殺菌剤組成物。
（Ｉ−２）上記（ｂ）界面活性剤が両性界面活性剤０．１重量％以上、
（ｃ）殺菌剤がジェミニ型殺菌剤０．０１重量％以上
である（Ｉ−１）に記載する洗浄殺菌剤組成物。
（Ｉ−３）上記（ｂ）界面活性剤がノニオン界面活性剤０．３重量％以上、
（ｃ）殺菌剤がビグアニジン系殺菌剤０．０２重量％以上
である（Ｉ−１）に記載する洗浄殺菌剤組成物。
（Ｉ−４）さらに（ｄ）金属イオン封鎖剤を０．０５重量％以上含有する（Ｉ−１）または（Ｉ−２）に記載する洗浄殺菌剤組成物。
（Ｉ−５）上記金属イオン封鎖剤がニトリロ三酢酸である（Ｉ−４）に記載する洗浄殺菌剤組成物。
（Ｉ−６）ｐＨが７〜１０である（Ｉ−１）〜（Ｉ−５）のいずれかに記載する洗浄殺菌剤組成物。
（Ｉ−７）さらに（ｅ）酵素安定剤及び（ｆ）アルカリ剤を含有する（Ｉ−１）〜（Ｉ−６）のいずれかに記載する洗浄殺菌剤組成物。
（Ｉ−８）さらにタンパク質分解酵素以外の酵素、ｐＨ調整剤、防錆剤、消泡剤、着色剤、及び香料よりなる群から選択される少なくとも１種を含有する（Ｉ−１）〜（Ｉ−７）
のいずれかに記載する洗浄殺菌剤組成物。
（Ｉ−９）タンパク質に起因する汚れが付着した被験対象物を洗浄殺菌するための液体組成物である（Ｉ−１）〜（Ｉ−８）のいずれかに記載する洗浄殺菌剤組成物。
（Ｉ−１０）上記被験対象物が医療器具または臨床検査器具である（Ｉ−９）に記載する洗浄殺菌剤組成物。
【００１４】
（II）液体洗浄殺菌剤組成物（濃縮タイプ）
（II−１）使用時に水で５０〜２００倍に希釈することで（Ｉ−１）〜（Ｉ−１０）のいずれかに記載する液体洗浄殺菌剤組成物になるように調製して使用される濃縮タイプの液体洗浄殺菌剤組成物。
【００１５】
（III）液体洗浄殺菌剤組成物による洗浄殺菌方法
（III−１）下記の工程を有する被験対象物の洗浄殺菌方法：
（１）被験対象物を（Ｉ−１）〜（Ｉ−１０）のいずれかに記載する液体洗浄殺菌剤組成物または（II−１）に記載する濃縮タイプの液体洗浄殺菌剤組成物の５０〜２００倍希釈液に浸漬する工程、
（２）被験対象物を液体洗浄殺菌剤組成物から取り出し、水で洗浄する工程。
（III−２）（１）浸漬工程を超音波照射のもとで行う（III−１）に記載する洗浄殺菌方法。
（III−３）さらに被験対象物をブラッシングする工程を有する（III−１）または（III−２）に記載する洗浄殺菌方法。
（III−４）（１）浸漬工程の浸漬温度条件が２０〜７０℃である（III−１）〜（III−３）のいずれかに記載する洗浄殺菌方法。
（III−５）被験対象物がタンパク質に起因する汚れが付着した被験対象物である（III−１）〜（III−４）のいずれかに記載する洗浄殺菌方法。
（III−６）上記被験対象物が医療器具または臨床検査器具である（III−５に記載する洗浄殺菌方法。
【発明の効果】
【００１６】
本発明の洗浄殺菌剤組成物によれば、微生物が生残している恐れがある例えば実験器具、並びに食品工業備品及び器具（例えば食品工場、厨房または食堂等で使用される調理器具、作業台、食器、コンベアベルト、床、及び壁など）、または微生物のほか、血液などのタンパク質汚れが付着している例えば医療器具や臨床検査器具などの被験対象物を浸漬または超音波洗浄機で洗浄する操作によって、被験対象物に対する汚れの固着を有意に抑制しながら除去洗浄することが可能となる。また、本発明の洗浄殺菌剤組成物によれば、血液存在下での殺菌力評価（ヨーロッパ標準法の不潔条件下）において短時間で殺菌効果を発揮することが可能となる。このため、本発明の洗浄殺菌剤組成物によれば、初期工程の洗浄作業で滅菌前菌数（バイオバーデン）を減らして次の工程である消毒や滅菌の確実性を高めることが出来ると同時に、作業者の感染リスクの低減、医療器具や臨床検査器具間の交差汚染の予防、または／及び自然環境への汚染水の排出を防止することが出来る。
【発明を実施するための形態】
【００１７】
（Ｉ）液体洗浄殺菌剤組成物（実用液）
本発明で使用される用語「実用液」は、被験対象物、好ましくは医療器具や臨床検査器具等の洗浄殺菌に実際に使用される濃度を有する溶液を示す。本発明の濃縮タイプの液体洗浄殺菌剤組成物の場合、これを水で５０〜２００倍に希釈して実際に使用する濃度に希釈した液を「実用液」という。
以下、当該実用液を構成する各成分について説明する。
【００１８】
＜（ａ）タンパク質分解酵素＞（以下「（ａ）成分」とも称する）
（ａ）成分は、洗浄用に使用される酵素であれば限定されず、中性からアルカリ側ｐＨ、具体的にはｐＨ６〜１２の範囲にタンパク質分解活性の至適を持つものであれば良い。タンパク質分解酵素は一種単独で用いても良いし、また２種以上を任意に組み合わせて用いても良い。制限されないものの、より具体的には、例えば、ノボザイムズ（Ｎｏｖｏｚｙｍｅｓ）社製のプロテアーゼであるアルカラーゼ（Ａｌｃａｌａｓｅ）、エスペラーゼ（Ｅｓｐｅｒａｓｅ）、サビナーゼ（Ｓａｖｉｂｎａｓｅ）、サビナーゼ  エビティ（Ｓａｖｉｂｎａｓｅ Ｅｖｉｔｙ）、エバラーゼ（Ｅｖｅｒｌａｓｅ）、リカナーゼ（Ｌｉｑｕａｎａｓｅ）、リカナーゼ  エビティ（Ｌｉｑｕａｎａｓｅ Ｅｖｉｔｙ）、及びブレーズ  エビティ（Ｂｌａｚｅ Ｅｖｉｔｙ）など；ジェネンコア（Ｇｅｎｅｎｃｏｒ）社製のピュラフェクト、ピュラフェクトＯＸ、プロペラーゼ、及びプロテックスシリーズ（プロテックス７Ｌ、プロテックス１４Ｌ、プロテックス６Ｌ、プロテックス８９Ｌ、プロテックスＯＸＧ、プロテックス４０Ｌ）、アルカリプロテアーゼＧＬ、及びプロモッド２２３ＬＰなどが例示される。
【００１９】
上記（ａ）成分の配合量は、実用液中で０．０１重量％以上、好ましくは０．０１〜０．２重量％、より好ましくは０．０２〜０．２重量％である。酵素としての洗浄力を得るためには、０．０１重量％以上の割合で配合することが好ましく、上限は特に制限されるものではない。但し、酵素を実用液中で０．２重量％よりも多く配合しても配合量の増加に応じた洗浄効果の向上が少ない。このため、経済的観点から０．２重量％程度を上限とすることができる。
【００２０】
＜（ｂ）界面活性剤＞（以下「（ｂ）成分」とも称する）
（ｂ）成分としては、両性界面活性剤及びノニオン界面活性剤を挙げることができる。両性界面活性剤及びノニオン界面活性剤はそれぞれを単独で使用してもよいし、また両者を組み合わせて使用することもできる。また両性界面活性剤同士を２種以上任意に組み合わせて使用することも、またノニオン界面活性剤同士を２種以上任意に組み合わせて使用することもできる。好ましくは両性界面活性剤またはノニオン界面活性剤のいずれか一方の使用であり、より好ましくは血液汚れ存在下での真菌に対する殺菌効果に優れていることから両性界面活性剤の使用である。
【００２１】
両性界面活性剤としては、アミノ酸型両性界面活性剤、ベタイン型両性界面活性剤、及びアミンオキシド型両性界面活性剤を挙げることができる。アミノ酸型両性界面活性剤としては、例えばラウロイルグルタミン酸ナトリウム、ラウロイルグルタミン酸カリウム、及びラウロイルメチル-β-アラニン、ラウリルアミノプロピオン酸塩、及びラウリルアミノジ酢酸塩等；ベタイン型両性界面活性剤としては、例えばラウリルジメチルアミノ酢酸ベタイン、ステアリルジメチルアミノ酢酸ベタイン、ドデシルアミノメチルジメチルスルホプロピルベタイン、オクタデシルアミノメチルジメチルスルホプロピルベタイン、ヤシ油脂肪酸アミドプロピルベタイン、及びラウリン酸アミドプロピルベタイン等；アミンオキシド型両性界面活性剤としては、例えばラウリルジメチルアミンN‐オキシド、デシルジメチルアミンオキシド、及びオレイルジメチルアミンN‐オキシド等を例示することができる。好ましくはラウリルアミノプロピオン酸塩、ラウリルアミノジ酢酸塩、ラウリルジメチルアミノ酢酸ベタイン、ヤシ油脂肪酸アミドプロピルベタイン、ラウリン酸アミドプロピルベタイン、ラウリルジメチルアミンオキシド及びデシルジメチルアミンオキシドなどから選ばれる少なくとも１種が挙げられる。
【００２２】
（ｂ）成分として両性界面活性剤を用いる場合の当該配合量としては、実用液中で０．１重量％以上、好ましくは０．１〜０．４重量％、より好ましくは０．２〜０．４重量％である。後述する（ｃ）殺菌剤による汚れの固着を防いで洗浄力を得るためには０．１重量％以上の割合で配合することが好ましく、上限は特に制限されない。但し、０．４重量％を超えて過剰に配合しても配合量に応じた洗浄効果の向上は少ないため、経済的観点から、好ましくは０．４重量％程度を上限とすることができる。
【００２３】
ノニオン界面活性剤としては、制限はされないものの、例えば高級アルコールエチレンオキサイド系、アルキルフェノールエチレンオキサイド系、脂肪酸エチレンオキサイド系、多価アルコール脂肪酸エステルエチレンオキサイド系、高級アルキルアミンエチレンオキサイド系、脂肪酸アミドエチレンオキサイド系、ポリプロピレングリコールエチレンオキサイド系などのポリエチレングリコール型非イオン界面活性剤；グリセリン及びペンタエリスリトールの脂肪酸エステル、ソルビトール及びソルビタンの脂肪酸エステル、ショ糖の脂肪酸エステルなどの多価アルコール型非イオン界面活性剤；アルキルポリグルコシド、バイオサーファクタントのソホロリピッド、ラムノリピッド、サーファクチン、マンノシルエリスリトールリピッド、アルスロファクチン、及び脂肪酸アルカノールアミドが挙げられる。
【００２４】
（ｂ）成分としてノニオン界面活性剤を用いる場合の配合量としては、実用液中で０．３重量％以上、好ましくは０．３〜０．６重量％、より好ましくは０．４〜０．６重量％である。後述する（ｃ）殺菌剤による汚れの固着を防いで洗浄力を得るためには０．３重量％以上の割合で配合することが好ましく、上限は特に制限されない。但し、０．６重量％を超えて過剰に配合しても配合量に応じた洗浄効果の向上は少ないため、経済的観点から、好ましくは０．６重量％程度を上限とすることができる。
【００２５】
＜（ｃ）殺菌剤＞（以下「（ｃ）成分」とも称する）
（ｃ）成分としては、ジェミニ型殺菌剤及びビグアニジン系殺菌剤を挙げることができる。ジェミニ型殺菌剤及びビグアニジン系殺菌剤はそれぞれを単独で使用してもよいし、また両者を組み合わせて使用することもできる。またジェミニ型殺菌剤同士を２種以上任意に組み合わせて使用することも、またビグアニジン系殺菌剤同士を２種以上任意に組み合わせて使用することもできる。好ましくはジェミニ型殺菌剤またはビグアニジン系殺菌剤のいずれか一方の使用であり、より好ましくは血液汚れ存在下での真菌に対する殺菌効果に優れていることからジェミニ型殺菌剤の使用である。
【００２６】
ジェミニ型殺菌剤は、対応する１鎖１親水基型（モノメリック型）界面活性剤をスペーサーと呼ばれる連結基でつないだ２量体構造を有し、且つ殺菌活性を有する化合物である。この限りにおいて、ヘテロジェミニ型殺菌剤であってもよい。ジェミニ型殺菌剤としては、制限されないものの、例えば１，１’−（１，１０−デカンジイル）ビス（４−オクチルイミノ−１，４−ジヒドロピリジン）（慣用名：オクテニジン）、及びその二塩酸塩、並びに１，４−ビス（３，３’−（１−デシルピリジニウム）メチルオキシ）ブタンジブロマイド（製品名：ハイジェニア）（タマ化学工業（株）製））（特許文献３参照）などが挙げられる。好ましくはハイジェニアである。ハイジェニアは、各種ウイルスの不活性化や防除に有効な抗ウイルス剤であるが、本発明においては他成分の洗浄効果を邪魔することなく殺菌効果を発揮することができる。なお、制限はされないものの、（ｃ）成分としてジェミニ型殺菌剤を用いる場合、前述する（ｂ）成分として両性界面活性剤を使用することが好ましく、そうすることで血液汚れ存在下で真菌を含むあらゆる細菌に対して優れた殺菌効果を発揮することができる。
【００２７】
（ｃ）成分としてジェミニ型殺菌剤を用いる場合、その配合量は、実用液中で０．０１重量％以上、好ましくは０．０１〜０．１重量％、より好ましくは０．０２〜０．０５重量％である。その配合量が０．０１重量％を大きく下回ると９９．９９９％以上の殺菌効果が得られなくなる傾向がある。また、殺菌効果の点からは、上限は特に制限されないものの、ジェミニ型殺菌剤を過剰に配合しすぎると汚れが固着する恐れがある。このため、上記するように、好ましくは０．１重量％以下、より好ましくは０．０５重量％以下である。
【００２８】
ビグアニジン系殺菌剤としては、例えばポリヘキサメチレンビグアナイド（ＰＨＭＢ）及びその塩（例えばポリヘキサメチレンビグアニジン塩酸塩）、クロルヘキシジン及びその塩（例えば、グルコン酸クロルヘキシジン等）などが挙げられる。好ましくはポリヘキサメチレンビグアナイド（ＰＨＭＢ）である。
【００２９】
（ｃ）成分としてビグアニジン系殺菌剤を用いる場合、その配合量は、実用液中で０．０２重量％以上、好ましくは０．０２〜０．１重量％、より好ましくは０．０２重量％以上０．０５重量％未満である。０．０２重量％を大きく下回ると９９．９９９％以上の殺菌効果が得られなくなる傾向がある。また、殺菌効果の点からは、上限は特に制限されないものの、ビグアニジン系殺菌剤を過剰に配合しすぎると汚れが固着する恐れがある。このため、上記するように、上限として好ましくは０．０５重量％未満を挙げることができる。本範囲内であれば、他成分による洗浄効果を邪魔することなく殺菌効果を発揮することができる。
【００３０】
＜（ｄ）金属イオン封鎖剤＞（以下「（ｄ）成分」とも称する）
（ｄ）成分は、任意成分であるが、上記（ｂ）成分として両性界面活性剤を用い、上記（ｃ）成分としてジェミニ型殺菌剤を用いるときは、アルカリ性条件下での緩衝作用及び殺菌効果の補助の目的で、同時に（ｄ）成分を配合することが好ましい。
【００３１】
金属イオン封鎖剤としては、ニトリロ三酢酸（ＮＴＡ）、ヒドロキシエチレンジアミン三酢酸（ＨＥＤＴＡ）、ジエチレントリアミノ五酢酸（ＤＴＰＡ）、トリエチレンテトラアミン六酢酸（ＴＴＨＡ）、ヒドロキシエチルイミノ二酢酸（ＨＩＭＤＡ）、１，３‐プロパンジアミン四酢酸（１，３‐ＰＤＴＡ）、ジヒドロキシエチルグリシン（ＤＨＥＧ）、メチルグリシン二酢酸（ＭＧＤＡ）、グルタミン酸二酢酸（ＧＬＤＡ）、アスパラギン酸二酢酸（ＡＳＤＡ）、β‐アラニン二酢酸（ＡＤＡ）、セリン二酢酸（ＳＤＡ）、ヒドロキシエタンジホスホン酸（ＨＥＤＰ）、エチレンジアミンテトラメチレンホスホン酸（ＥＤＴＭＰ）及びそれらの金属塩を挙げることができる。これらはいずれも液体洗浄殺菌剤組成物（実用液）の良好な洗浄力及び殺菌剤に貢献するものの、保存安定性（酵素安定性を含む）の観点から、好ましくはニトリロ三酢酸及びその金属塩であり、より好ましくはニトリロ三酢酸である。
なお、金属塩としては、制限されないものの、ナトリウムやカリウム等のアルカリ金属との塩；カルシウム等のアルカリ土類金属との塩；マグネシウムとの塩；アンモニウムとの塩を例示することができる。
【００３２】
この場合、（ｄ）成分の配合量としては、実用液中で０．０５重量％以上を挙げることができる。上記目的からは配合量の上限は特に制限されないものの、実用液の５０〜２００倍の濃さを有する濃縮タイプの液体洗浄殺菌剤組成物における（ａ）成分の安定性を考慮すると、その上限は好ましくは０．４重量％、より好ましくは０．２重量％を挙げることができる。この観点から（ｄ）成分の配合量として、好ましくは０．０５〜０．４重量％、より好ましくは０．０５〜０．２重量％である。
【００３３】
＜（ｅ）酵素安定化剤＞（以下「（ｅ）成分」とも称する）
本発明の洗浄殺菌剤組成物は、上記（ａ）成分、（ｂ）成分、及び（ｃ）成分（または上記（ａ）成分、（ｂ）成分、（ｃ）成分、及び（ｄ）成分）に加えて、酵素安定性の観点から（ｅ）酵素安定化剤を含有することが望ましい。（ｅ）成分の例としては、炭素数１〜４のアルコール、炭素数２〜６の多価アルコール、炭素数３〜８のグリコールエーテル、塩化カルシウムや乳酸カルシウムなどの水溶性カルシウム塩、ホウ酸、ホウ酸ナトリウム、ホウ酸カリウム、４ホウ酸ナトリウム、４ホウ酸カリウム、アセトアミド、グリシン、及びマルトデキストリンなどが挙げられる。これらの中でも酵素安定性の観点からエチルアルコール、エチレングリコール、プロピレングリコール、エチレングリコールモノエチルエーテル、ジエチレングリコール、モノエチルエーテル、ジプロピレングリコールメチルエーテル、グリセリン、及びソルビトールが好ましい。これらは単独で用いても良いし、２種以上を任意に組み合わせて用いても良い。
【００３４】
本発明の組成物が（ｅ）成分を含有する場合、当該（ｅ）成分の配合量は、実用液中で０．０１〜０．３重量％であることが好ましい。より好ましくは０．０３〜０．３重量％であり、さらに好ましくは０．０５〜０．２重量％である。配合安定性及び酵素安定性の観点から（ｅ）成分の配合割合の上限は制限されないものの、０．３重量％を超えて配合しても配合量に応じた配合安定性の向上、及び組成物中の酵素安定性の向上は少ない。このため、経済性の観点から０．３重量％程度を上限とすることが好ましい。なお、配合安定性とは、組成物の安定性を維持する効果を意味し、例えば組成物中の成分の分離や沈殿物（析出物）の発生の有無からその効果を判断することができる。
【００３５】
＜（ｆ）アルカリ剤＞（以下、「（ｆ）成分」とも称する）
本発明の洗浄殺菌剤組成物は、上記（ｅ）成分を含有する場合、同時に（ｆ）アルカリ剤を含有することが望ましい。（ｆ）成分として、炭酸塩及び重炭酸塩等の無機塩、モノエタノールアミン（ＭＥＡ）、ジエタノールアミン（ＤＥＡ）、トリエタノールアミン（ＴＥＡ）、トリス（ヒドロキシメチル）アミノメタン、モノイソプロパノールアミン（ＭＩＰＡ）、及びトリイソプロパノールアミン（ＴＩＰＡ）等のアルカノールアミンが挙げられる。これらは単独で用いても良いし、２種以上を任意に組み合わせて用いても良い。
【００３６】
本発明の組成物が（ｆ）成分を含有する場合、当該（ｆ）成分の配合量は、実用液中で０．０２重量％以上、好ましくは０．０２〜０．２重量％、より好ましくは０．０２〜０．１５重量％である。（ｆ）成分を０．０２重量％以上の割合で配合すると、洗浄力に必要なアルカリ度を得ることができる。特にプロテアーゼとしてアルカリプロテアーゼを用いる場合は、その洗浄力を発揮するために必要なアルカリ性を保つことができる。なお、アルカリ剤としてアルカノールアミンを用いる場合、その配合量が０．２重量％を超えると不快臭が強くなる。そのため、アルカリ剤としてアルカノールアミンを用いる場合、実用液中の配合量は０．２重量％以下であることが好ましい。
【００３７】
＜（ｇ）ｐＨ調整剤＞（以下「（ｇ）成分」と称する）
本発明の洗浄殺菌剤組成物は、（ｇ）成分を用いて、実用液のｐＨが７〜１０となるように調整することが好ましい。好ましくはｐＨ８〜１０である。
【００３８】
（ｇ）成分としては、酸性のｐＨ調整剤を挙げることができる。具体的には、塩酸、硫酸及び硝酸などの無機酸；またはクエン酸、乳酸及びギ酸などの有機酸を例示することができる。
【００３９】
＜その他の配合可能な成分＞
さらに本発明には、本発明の効果を損なわない範囲で、任意にタンパク質分解酵素以外の酵素、色素（着色剤）、防錆剤、消泡剤、及び／または香料などを配合することが出来る。これらは当業界において洗浄剤や殺菌剤に配合して使用されるものであればよく、慣用に従って選択使用することができる。
なお、タンパク質分解酵素以外の酵素としては、脂質分解酵素（リパーゼ）、澱粉分解酵素（アミラーゼ）、及びセルロース分解酵素（セルラーゼ）を挙げることができ、これらのうち１種または２種以上を任意に選択して、（ａ）成分であるタンパク質分解酵素と組み合わせて使用することができる。制限されないものの、好適には、脂質分解酵素、澱粉分解酵素、及びセルロース分解酵素の３種の酵素を、（ａ）成分であるタンパク質分解酵素と組み合わせて使用する。
また、防錆剤としてはベンゾトリアゾールやケイ酸塩などが挙げられる。
【００４０】
本発明の洗浄殺菌剤組成物は、上記各成分を混合配合して、上記に示した配合量（濃度）よりも５０〜２００倍高い濃度になるように予め調製しておいたもの（濃縮タイプ）を、使用時に水で５０〜２００倍に希釈してｐＨ７〜１０の洗浄液（実用液）として使用することが好ましい。
【００４１】
その使用方法、つまり本発明の洗浄殺菌剤組成物を用いた被験対象物の洗浄殺菌方法としては、まず本発明の液体洗浄殺菌剤組成物（実用液）を浸漬液として、これに被験対象物を浸漬し（浸漬工程）、次いで所定時間後に当該浸漬液から被験対象物を取り出し、水で洗浄する（水洗工程）方法を挙げることができる。
浸漬液の温度は、通常２０℃〜７０℃の範囲に調整することができる。但し、（ａ）タンパク質分解酵素による洗浄効果を効果的に得るためには好ましくは３０〜６０℃、より好ましくは３５〜５５℃に調整することが望ましい。浸漬時間は、制限されないものの、通常１０〜６０分間を例示することができる。なお、浸漬中に超音波照射をしてもよい。また、必要に応じて、浸漬中または水洗中に被験対象物をブラッシングしてもよい。
【００４２】
本発明の洗浄殺菌剤組成物を用いて洗浄殺菌する被験対象物としては、制限されないものの、微生物によって汚染された実験器具や食品工業備品・器具、または微生物による汚染に加えて生体試料や血液などのタンパク質汚れが付着した医療器具や臨床検査器具を例示することができる。好ましくは血液などのタンパク質汚れが付着した医療器具である。上記する本発明の洗浄殺菌剤組成物を用いて上記工程に従って被験対象物を処理することで洗浄と殺菌とを同時に実施することができる。特に生体試料や血液などのタンパク質汚れが付着した医療器具については、本発明の洗浄殺菌剤組成物を用いた上記洗浄殺菌方法により適切に医療器具を再生することができる。このため、洗浄殺菌剤組成物は医療器具用洗浄殺菌剤組成物、特に生体試料や血液などのタンパク質汚れが付着した医療器具用の洗浄殺菌剤組成物として好適に使用することができる。
【００４３】
なお、本発明の洗浄殺菌剤組成物（実用液）の洗浄効果は、後述する実験例に記載するように、ステンレス板にモデル血液汚れ（ヒト血漿タンパク［ヘモグロビン、アルブミン、トロンビン、フィビリン］と同組成になるように調整した精製牛タンパク［ＩＳＯ１５８８３のスウェーデン法］）を付着して乾燥させた「洗浄評価インジケーターＴＯＳＩ（登録商標）」（ＰＥＲＥＧ製）を用いて、評価することができる。具体的には本発明の洗浄殺菌剤組成物（実用液）（４０℃）に上記洗浄評価インジケーターを所定時間浸漬し、次いでこれを水で洗浄してから「パワークイック残留タンパク検出液」（サラヤ株式会社）で染色し、洗浄後のインジケーターに残留した汚れ（血液タンパク質）の除去性を目視により評価することで実施することができる。当該インジケーターのモデル血液汚れが３０分の浸漬で完全に除去された場合を「洗浄力良好」と、また１０分間の浸漬で完全に除去された場合を「洗浄力が非常に良好」と評価することができる。
【００４４】
また、本発明の洗浄殺菌剤組成物（実用液）の殺菌効果は、後述する実験例に記載するように、欧州標準化委員会（ＣＥＮ）が定める欧州規格に基づいたｉｎ ｖｉｔｒｏ試験（ヨーロッパ標準法）により細菌または／及び真菌に対する殺菌作用を測定することで評価することができる。例えば、細菌（例えば緑膿菌（グラム陰性菌）、黄色ブドウ球菌（グラム陽性菌））に対する殺菌作用はヨーロッパ標準法のＥＮ１３７２７の不潔条件と同じ方法で評価することができ、試験前後の菌数の対数減少値が５Ｌｏｇ１０以上であれば細菌に対して殺菌活性を有すると判定することができる。また真菌（例えば酵母）に対する殺菌作用はヨーロッパ標準法のＥＮ１３６２４の不潔条件と同じ方法で評価することができ、試験前後の菌数の対数減少値が４Ｌｏｇ１０以上であれば真菌に対して殺菌活性を有すると判定することができる。本発明の洗浄殺菌剤組成物において、試験を行った細菌または／及び真菌のすべてに対する殺菌効果が、ヨーロッパ標準法に記載される判定基準において○または△の評価である場合（○及び△の評価基準は実験例参照）を、当該洗浄殺菌剤組成物（実用液）について「殺菌効果あり」とするが、より好ましい洗浄殺菌剤組成物（実用液）は、試験を行ったすべての細菌または／及び真菌に対して良好な殺菌活性（ヨーロッパ標準法に記載される判定基準において○の評価）を発揮する液体組成物であり、当該洗浄殺菌剤組成物（実用液）（またはその濃縮タイプ）をより好ましい洗浄殺菌剤組成物と位置づけることができる。
【００４５】
（II）液体洗浄殺菌剤組成物（濃縮タイプ）
本発明は、上記実用液である医療器具用洗浄殺菌剤組成物よりも５０〜２００倍濃い濃度を有する濃縮タイプの液体洗浄殺菌剤組成物であってもよい。当該濃縮タイプの液体洗浄殺菌剤組成物は、上記（ａ）成分、（ｂ）成分、及び（ｃ）成分（または（ａ）成分、（ｂ）成分、（ｃ）成分、及び（ｄ）成分）を下記の割合で含有することができる。
（ａ）タンパク質分解酵素
０．５重量％以上、好ましくは０．５〜２０重量％、より好ましくは１〜２０重量％
（ｂ）界面活性剤
（ｂ−１）両性界面活性剤の場合
１０重量％以上、好ましくは１０〜４０重量％、より好ましくは１５〜４０重量％
（ｂ−２）ノニオン界面活性剤の場合
３０重量％以上、好ましくは３０〜６０重量％、より好ましくは４０〜６０重量％
（ｃ）殺菌剤
（ｃ−１）ジェミニ型殺菌剤
１重量％以上、好ましくは１〜１０重量％、より好ましくは２〜１０重量％
（ｃ−２）ビグアニジン系殺菌剤
２重量％以上、好ましくは２〜１０重量％、より好ましくは２〜５重量％。
【００４６】
（ｂ）成分として両性界面活性剤、及び（ｃ）殺菌剤としてジェミニ型殺菌剤を配合する場合、さらに（ｄ）成分として下記（ｄ）金属イオン封鎖剤、好ましくは保存安定性の観点からニトリロ三酢酸またはその金属塩、より好ましくはニトリロ三酢酸を配合することが好ましい。
【００４７】
（ｄ）金属イオン封鎖剤、好ましくはニトリロ三酢酸
１重量％以上、好ましくは１〜２０重量％、より好ましくは２．５〜２０重量％。
【００４８】
また当該濃縮タイプの洗浄殺菌剤組成物は、上記（ａ）成分、（ｂ）成分、及び（ｃ）成分（または（ａ）成分、（ｂ）成分、（ｃ）成分、及び（ｄ）成分）に加えて、（ｅ）成分及び（ｆ）成分を下記の割合で含有することができる。
（ｅ）酵素安定化剤
１重量％以上、好ましくは３〜３０重量％、より好ましくは５〜２０重量％
（ｆ）アルカリ剤
２重量％以上、好ましくは２〜２０重量％、より好ましくは２〜１５重量％。
【００４９】
さらに濃縮タイプの液体洗浄殺菌剤組成物も、前述する実用液と同様に（ｇ）ｐＨ調整剤を用いてｐＨが７〜１０、好ましくはｐＨ８〜９．５となるように調整されていることが好ましい。また濃縮タイプの液体洗浄殺菌剤組成物は、前述する実用液と同様に、本発明の効果を損なわない範囲で、任意にタンパク質分解酵素以外の酵素（脂質分解酵素（リパーゼ）、澱粉分解酵素（アミラーゼ）、または／及びセルロース分解酵素（セルラーゼ））、色素（着色剤）、防錆剤、消泡剤、及び／または香料などを配合することが出来る。
【００５０】
本発明の濃縮タイプの液体洗浄殺菌剤組成物は、上記各成分を混合配合して調製しておいたものを、使用時（被験対象物の洗浄殺菌時）に水で５０〜２００倍に希釈してｐＨ７〜１０の洗浄液（実用液）として使用される。被験対象物は前述した通りであり、好ましくは医療器具及び臨床検査器具であり、特に生体試料や血液などのタンパク質汚れが付着した医療器具である。
【実施例】
【００５１】
以下、実施例によって本発明を具体的に説明する。但し、組成物においては、本発明の範囲から逸脱することなく種々の変更を加えることが可能であるため、本発明はこれら具体例によって限定されるものではない。
【００５２】
実験例１
ｐＨは、ｐＨメーターを用いて測定した。各種液体洗浄殺菌剤組成物を実用液濃度に調製したものについてそれぞれ測定した。
【００５３】
（１）洗浄力評価
本発明の液体洗浄殺菌剤組成物の洗浄力評価に、医療器具用洗浄剤の洗浄力評価で頻用されている、ステンレス板にモデル血液汚れを付着して乾燥させた「洗浄インジケーターＴＯＳＩ（登録商標）」（ＰＥＲＥＧ製）を用いた。インジケーターに付属しているプラスチックカバーを外して、４０℃の液体洗浄殺菌剤組成物に１０分間浸漬し、次いで水で洗浄してから「パワークイック残留タンパク検出液」（サラヤ株式会社製）で染色し、洗浄後のインジケーターに残留した汚れ（血液タンパク質）の除去性を下記の基準に基づいて目視観察することで評価した。
【００５４】
＜洗浄力評価基準＞
○：完全に除去
△：除去なし（初期（浸漬洗浄未処理）のインジケーターに付着した汚れの量から変わらない）
×：固着（汚れの広がり）
【００５５】
（２）殺菌力評価
ヨーロッパ標準法のＥＮ１３７２７の不潔条件と同じ方法で実施し、以下の評価基準で判定した。
＜試験条件＞
（有機物）作用時濃度０．３重量％ヒツジ赤血球＋０．３重量％ＢＳＡ
（温度／接触時間）４０℃／１０分間
（使用希釈水と作用時試作品濃度）ＣａＣＯ３換算で作用時に３００ｐｐｍとなる人工硬水を用いて、作用時に表１記載の濃度となるように実用液を調製した。
（作用菌株）
Ｐｓｅｕｄｏｍｏｎａｓ ａｅｒｕｇｉｎｏｓａ（緑膿菌）ＡＴＣＣ１５４４２
Ｓｔａｐｈｙｌｏｃｏｃｃｕｓ ａｕｒｅｕｓ（黄色ブドウ球菌）ＡＴＣＣ６５３８
【００５６】
＜殺菌力評価基準＞
初期菌数及び生存菌数から対数減少値を算出した。判定基準はヨーロッパ標準法に記載される基準から下記の通り判断した。
○：５ＬｏｇＲｅｄｕｃｔｉｏｎ以上（９９．９９９％以上）
△：３ＬｏｇＲｅｄｕｃｔｉｏｎ以上、５ＬｏｇＲｅｄｕｃｔｉｏｎ未満
×：３ＬｏｇＲｅｄｕｃｔｉｏｎ未満（９９．９％未満）
【００５７】
【表１】
0006732454.tif 000002
【００５８】
表１に示す実施例１〜３の結果から分かるように、本発明の洗浄殺菌剤組成物は血液汚れに対して優れた洗浄力効果と殺菌効果を併せ持つ洗浄殺菌剤組成物である。そのため、血液などのタンパク質汚れが付着した医療器具や臨床検査器具であっても、本発明の洗浄殺菌剤組成物を用いて当該医療器具や臨床検査器具を洗浄殺菌処理することで、初期の洗浄作業で医療器具等に付着している細菌やウイルスの数を減らすことが出来ると同時に、作業者の感染リスクの低減、医療器具等の間における交差汚染の予防、自然環境への汚染水の排出防止が実現可能となる。
【００５９】
実験例２
ｐＨはｐＨメーターを用いて測定した。表３及び表５については濃縮タイプの洗浄殺菌剤組成物のｐＨを原液ｐＨ、これを水で１００倍希釈した実用液のｐＨを希釈ｐＨとしてそれぞれ測定した。
【００６０】
（１）洗浄力評価
実験例１と同様に、ステンレス板にモデル血液汚れを付着して乾燥させた「洗浄インジケーターＴＯＳＩ（登録商標）」（ＰＥＲＥＧ製）を用いた。インジケーターに付属しているプラスチックカバーを外して、表２〜５に記載する処方に従って調製し、温度を４０℃に調整した液体洗浄殺菌剤組成物（実施例４〜２６、比較例５〜１０）に、１０分間及び３０分間浸漬し、次いで水で洗浄してから「パワークイック残留タンパク検出液」（サラヤ株式会社製）で染色し、洗浄後のインジケーターに残留した汚れ（血液タンパク質）の除去性を下記の基準に基づいて目視観察することで評価した。なお、表２〜５のうち、表３及び表５に示す処方は、１００倍濃縮タイプの液体洗浄殺菌剤組成物の処方である。従って、表３及び表５に記載する液体洗浄殺菌剤組成物は、試験に際して水で１００倍に希釈して使用した。
【００６１】
＜洗浄力評価基準＞
〔表２〕
ＡとＡ´、ａとａ´、ＢとＢ´、ｂとｂ´でそれぞれ比較し、後者に比べて１０分間浸漬による洗浄効果が向上していれば＋、１０分間及び３０分間浸漬共に洗浄効果が後者よりも向上していれば＋＋とした。
〔表３〜５〕
○：完全に除去
△：除去なし（初期（浸漬洗浄未処理）のインジケーターに付着した汚れの量から変わらない）
×：固着（汚れの広がり）
【００６２】
（２）殺菌力評価
ヨーロッパ標準法のＥＮ１３７２７及びＥＮ１３６２４の不潔条件と同じ方法で実施し、以下の評価基準で判定した。
＜試験条件＞
（有機物）作用時濃度０．３重量％ヒツジ赤血球＋０．３重量％ＢＳＡ
（温度／接触時間）４０℃／１０分間
（使用希釈水と作用時試作品濃度）ＣａＣＯ３換算で作用時に３００ｐｐｍとなる人工硬水を用いて、作用時に１％となるように各種液体洗浄殺菌剤組成物を希釈した。
（作用菌株）
Ｐｓｅｕｄｏｍｏｎａｓ ａｅｒｕｇｉｎｏｓａ（緑膿菌）ＡＴＣＣ１５４４２
Ｓｔａｐｈｙｌｏｃｏｃｃｕｓ ａｕｒｅｕｓ（黄色ブドウ球菌）ＡＴＣＣ６５３８
Ｃａｎｄｉｄａ ａｌｂｉｃａｎｓ（酵母）ＡＴＣＣ１０２３１
【００６３】
＜殺菌力評価基準＞
初期菌数及び生存菌数から対数減少値を算出した。判定基準はヨーロッパ標準法に記載される基準から下記の通り判断した。
（細菌）○：５ＬｏｇＲｅｄｕｃｔｉｏｎ以上（９９．９９９％以上）
△：３ＬｏｇＲｅｄｕｃｔｉｏｎ以上、５ＬｏｇＲｅｄｕｃｔｉｏｎ未満
×：３ＬｏｇＲｅｄｕｃｔｉｏｎ未満（９９．９％未満）
（真菌）○：４ＬｏｇＲｅｄｕｃｔｉｏｎ以上（９９．９９％以上）
△：２ＬｏｇＲｅｄｕｃｔｉｏｎ以上、４ＬｏｇＲｅｄｕｃｔｉｏｎ未満
×：２ＬｏｇＲｅｄｕｃｔｉｏｎ未満（９９％未満）
【００６４】
（３）酵素安定性
４０℃で１４日間保存後、カゼインを基質に用いたＦｏｌｉｎ−Ｌｏｗｒｙ法にて測定して酵素活性を算出し、保存前の酵素活性に対する相対値を残存活性とした。残存活性が８０％以上を○、８０％未満を×とした。
【００６５】
結果を表２〜５に合わせて示す。
【００６６】
【表２】
0006732454.tif 000003
【００６７】
【表３】
0006732454.tif 000004
【００６８】
【表４】
0006732454.tif 000005
【００６９】
【表５】
0006732454.tif 000006
0006732454.tif 000007
【００７０】
表２に示すように、界面活性剤としてノニオン界面活性剤より両性界面活性剤を用いるほうが血液汚れに対する洗浄効果が高いことがわかる。この実施例の結果から、殺菌剤の中でも比較的洗浄効果に対する妨害が少なかった殺菌剤１（ハイジェニア）を用いた場合の実験結果を表３〜５に示す。
【００７１】
表３〜５に記載する結果から分かるように、本発明の液体洗浄殺菌剤組成物は、血液汚れに対して優れた洗浄力効果と殺菌効果を併せ持ち、かつ酵素安定性も有する洗浄殺菌剤組成物である。そのため、血液などのタンパク質汚れが付着した医療器具であっても、本発明の洗浄殺菌剤組成物を用いて当該医療器具を洗浄殺菌処理することで、初期の洗浄作業で医療器具に付着している細菌やウイルスの数を減らすことが出来ると同時に、作業者の感染リスクの低減、医療器具間の交差汚染の予防、自然環境への汚染水の排出防止が実現可能となる。
【産業上の利用可能性】
【００７２】
タンパク質分解酵素、界面活性剤、及び殺菌剤を配合することで、使用後の血液などのタンパク質汚れが付着した医療器具の洗浄作業をより安全に行なうことができる。